(57)【特許請求の範囲】
【請求項１】
農作物が栽培されている土壌の地中に，放射性物質を含有する土と放射性物質を含有する繭玉とが収容された装置（１）を埋設して，前記農作物の成育を促進する
農作物の育成方法。
【請求項２】
前記装置（１）は，前記土壌の地表面から５０ｃｍ〜１００ｃｍの深さの地中に埋設される
請求項１に記載の育成方法。
【請求項３】
前記農作物が栽培される土壌の放射線量は，０．５マイクロシーベルト毎時以下であり，
前記放射性物質を含有する土の放射線量は，１マイクロシーベルト毎時以上１．５マイクロシーベルト毎時以下である
請求項１に記載の育成方法。
【請求項４】
放射性物質を含有する土（１１）が収容され，上部が開口している容器本体（１０）と，
前記容器本体（１０）の上部に取り付けられ，複数の放射線放出孔（２１）を有する内蓋（２０）と，
前記内蓋（２０）の上部に取り付けられ，上方に向かって所定角度傾斜して突起した通気管（３１）を有する外蓋（３０）と，を備え，
前記外蓋（３０）を上方とし前記容器本体（１０）を下方として，農作物が栽培されている土壌の地中に埋設して使用される
農作物の育成装置。
【発明の詳細な説明】
【技術分野】
【０００１】
本発明は，放射性物質を含有する土を活用して農作物を育成する方法，及び農作物を育成するための装置に関する。具体的に説明すると，本発明は，農作物を栽培する土壌の地中に，放射性物質を含有する土を収容した装置を埋設して，農作物の成育を促進するというものである。
【背景技術】
【０００２】
従来から，放射性セシウムに代表される放射性物質は，空気中や土壌などの自然環境に多量に存在する場合，人体に有害なものであるとして除去の対象とされている。
【０００３】
例えば，特許文献１や特許文献２には，放射性物質を含む汚染土壌の浄化方法が開示されている。
【先行技術文献】
【特許文献】
【０００４】
【特許文献１】特開平０５−１９２６４８号公報
【特許文献２】特開２００７−２８９８９７号公報
【発明の概要】
【発明が解決しようとする課題】
【０００５】
しかし，放射性物質を含有する土の最終処分技術は未だ確立しておらず，汚染土壌が大量に存在する場合に，そのすべてを完全に除染することは，現在の技術では不可能である。
【０００６】
そこで，本発明は，放射能による汚染土壌を除染の対象とするのではなく，その有効活用法を提供することを解決課題とする。
【課題を解決するための手段】
【０００７】
本発明者は，放射性物質を含む土の有効活用法について鋭意検討した結果，放射性物質が核分裂する際に発生させる微振動が，農作物の成長促進を促すものであることを見出した。
【０００８】
すなわち，東北地方太平洋沖地震の発生した２０１１年の農産物の出来具合は，過去数十年のものと比較し豊作であった。野菜は，色や味が良く，目方も３割方多くなっており，早期に肥大化していた。また，果物は，着色鮮やかで，味もすこぶる良く，ＬＬサイズが多く落果なしの状態であった。また，花卉類は，赤色鮮やかで実の落下もないし，草花は早咲きで葉の緑も濃く花も大きく，開花期間が長くなっていた。このような農作物が豊作となる現象は，特に放射線量の高くなった被災地域に共通していた。
【０００９】
ここで，線量計測器を用いて，高線量の放射性物質の含有土を計測すると，計器が２〜５分に１度大きく振れる。例えば，２マイクロシーベルト毎時であった数字が，突然２．８マイクロシーベルト毎時となる。その後，２．８マイクロシーベルト毎時から１．９マイクロシーベルト毎時に降下する。これは，高線量２．８マイクロシーベルト毎時を計測したときに，放射性セシウム等の放射性物質の核分裂が起こったものと推測される。また，次の計測時に１．９マイクロシーベルト毎時となるのは，放射性物質の核分裂が終息したことを意味すると考えられる。このような，放射性物質の核分裂が，１時間内に数十回も繰り返されれば，農作物は核分裂の起こす振動により，その根に活性化エネルギーの影響を受けるものと思量される。特に，地中浅くにある農作物の細根は，果実を充実させ，花を大きく咲かせ，葉を大きく厚くさせるための重要な役割をもつ。この細根は，微振動のもたらす内的エネルギーと，施肥という外的栄養素のバランスが取れたときに，農作物を大いに成長させる。このため，放射性物質の核分裂による微振動は，農作物の繁茂を促すものであると考えられる。
【００１０】
そこで，本発明の第１の側面は，上記放射性物質の性質を利用した農作物の育成方法に関するものである。本発明の育成方法は，農作物が栽培されている土壌の地中に，放射性物質を含有する土が収容された装置１を埋設することにより，農作物の成育を促進させる。
【００１１】
装置１には，放射性物質を含有する繭玉を，さらに収容することとしてもよい。
繭玉は，その内部にゼオライト等を封入することにより，水田や果樹畑に存在する放射性物質の除去に利用できる。この放射性物質の除去に利用された繭玉は，発酵液を用いて分解し浄化土壌とすることが好ましいが，繭玉が浄化土壌となるまでには時間が掛かる。そこで，放射性物質を含有する土と共に繭玉を装置１内に収容して，農作物の成育方法に利用することで，放射性物質を含む使用済みの繭玉を有効に再活用できる。
【００１２】
装置１は，土壌の地表面から５０ｃｍ〜１００ｃｍの深さの地中に埋設されることが好ましい。
装置１を，土壌の地表面から５０ｃｍ〜１００ｃｍの深さに埋設することで，装置１は，基本的に，農作物の根より深い地中に位置にするようになる。このため，装置１内の放射性物質含土から放出される放射線により，農作物の根に対して活性化エネルギーを効率的に付与できる。また，装置１が地中浅くに配置されると，放射性物質含土から放出される放射線が，農作業者の身体に悪影響を与えることが懸念される。このため，装置１は，少なくとも地表面から５０ｃｍ深さに埋設されることが好ましい。
【００１３】
本発明の育成方法において，農作物が栽培される土壌の放射線量は０．５マイクロシーベルト毎時以下であり，放射性物質を含有する土の放射線量は１マイクロシーベルト毎時以上１．５マイクロシーベルト毎時以下であることが好ましい。
【００１４】
本発明の第２の側面は，上記第１の側面に係る育成方法において使用される農作物の育成装置に関するものである。
本発明の育成装置１は，基本的に，容器本体１０と，内蓋２０と，外蓋３０を備える。
容器本体１０は，放射性物質を含有する土１１が収容されるものであり，上部が開口している。
内蓋２０は，容器本体１０の上部に取り付けられるものであり，複数の放射線放出孔２１を有している。
外蓋３０は，内蓋２０の上部に取り付けられ，上方に向かって所定角度傾斜して突起した通気管３１を有している。
このような構成を有する育成装置１は，外蓋３０を上方とし容器本体１０を下方として，農作物が栽培されている土壌の地中に埋設して使用される。
【００１５】
放射性物質含有土１１は，上記構成を有する育成装置１によって厳重に管理される。すなわち，容器本体１０の開口を閉鎖する内蓋２０に放射線を放出するための微細孔（放射線放出孔２１）を形成することで，農作物に放射線の影響を適度に与えて，成長を促進することができる。他方，この放射線放出孔２１を通して，農作物を栽培するための土壌と放射性物質含有土が混合してしまうことを防止するために，外蓋３０を設け，この外蓋３０に通気管３１を設ける。通気管３１は，上方に向かって所定角度傾斜して突起したものであるため，外蓋３０の上に土壌を盛ったときでも，容器本体１０内に，土壌が落下することを防止できる。これにより，農作物を栽培するための土壌と放射性物質含有土１１の混合を防止し，農作物に放射性物質が付着しないよう，放射性物質含有土１１を管理できる。
【発明の効果】
【００１６】
本発明は，放射性物質を含む土を利用して，農作物の成育を促進するものである。このため，本発明によれば，従来除去の対象とされていた放射性物質を含む土の有効な活用法を提供できる。
【図面の簡単な説明】
【００１７】
【図１】図１は，本発明に係る育成装置の構成を示す概念図である。図１（ａ）は，育成装置の具体的構成を示す断面図であり，図１（ｂ）は育成装置１に収容される繭玉の具体的構成を示す断面図である。
【図２】図２は，農作物が栽培されている土壌の地中に，育成装置を埋設した状態を概念的に示す側面図である。
【発明を実施するための形態】
【００１８】
以下，図面を用いて本発明を実施するための形態について説明する。本発明は，以下に説明する形態に限定されるものではなく，以下の形態から当業者が自明な範囲で適宜修正したものも含む。
なお，本願明細書において，「Ａ〜Ｂ」とは，「Ａ以上Ｂ」であることを意味する。
【００１９】
本発明の農作物の育成方法には，一又は複数の育成装置１が用いられる。
図１（ａ）は育成装置１の具体的構成を示す断面図であり，図１（ｂ）は育成装置１に収容される繭玉１２の具体的構成を示す断面図である。また，図２は，農作物２が栽培されている土壌３の地中に，放射性物質含有土１１及び繭玉１２が収容された育成装置１を埋設した状態を概念的に示す側面図である。
【００２０】
図１（ａ）に示されるように，まず，育成装置１は，容器本体１０を有する。容器本体１０は，底部と，底部の周囲に立設した側部を有し，上部が開口した構造となっている。容器本体１０は，上部の開口部を通じて放射性物質含有土１１が収容される。容器本体１０は，放射性物質含有土１１が，農作物２を栽培するための土壌３と混合しないように，両者を分離して管理することができるものであればよく，例えばプラスチック容器であってもよいし，一面に微細孔が形成された堅いチューブを用いることとしてもよい。また，容器本体１０は，放射線を遮蔽可能な鉛製や，鉄製，コンクリート製で形成することとしてもよい。容器本体１０を例えば鉛製とすることにより，放射性物質含有土１１から放出される放射線のエネルギーを，農作物にのみに対して効率良く付与することができ，容器本体１０の周囲に存在する生物に対して与える影響を低減できる。容器本体１０の横幅と奥行は，作物を栽培する畑の面積に応じて適宜調節することができる。また，容器本体１０の高さ（深さ）は，例えば，深さが５ｃｍ〜５０ｃｍ，又は１０ｃｍ〜３０ｃｍ程度とすることが好ましい。
【００２１】
容器本体１０内には，放射性物質含有土１１が収容される。放射性物質含有土１１に含まれる放射性物質は特に限定されないが，放射性物質の例としては，放射性のセシウム（セシウム１３７等）や，ヨウ素（ヨウ素１３１等），ウラン（ウラン２３２等），プルトニウム（プルトニウム２３８等），トリウム（トリウム２３２等），及び重水素を挙げることができる。放射性物質含有土１１は，容器本体１０の容量に対して５０％〜１００％，又は７０％〜９０％程度収容されることが好ましい。放射性物質含有土１１の線量当量（１ｃｍ線量当量：地表から１０ｍｍ地点での測定値）は，１マイクロシーベルト毎時〜３マイクロシーベルト毎時，又は１．５マイクロシーベルト毎時〜２マイクロシーベルト毎時であることが好適である。放射性物質を含む土自体は，通常の手法で採取可能な土壌を用いることができ，放射線物質の他に，無機物（一次鉱物）や，コロイド状の無機物（粘土鉱物或いは二次鉱物），粗大有機物，粗大有機物が変質して生じた有機物（腐植）などを含むものであってもよい。
【００２２】
また，図１（ａ）に示されるように，容器本体１０内には，放射性物質含有土１１と共に，放射性物質を含む繭玉１２（使用済み繭玉）を収容することとしてもよい。
使用済み繭玉１２は，水田や果樹畑における放射性物質の除去に用いられたものである。例えば，複数の繭玉１２を篭の中に収納し，この篭を，水田の水流入口にフィルタとして取り付けておけば，水に放射性物質が含有される場合，その放射性物質を繭玉１２によって除去できる。また，例えば，果樹畑の地表面に複数の繭玉１２を散布しておけば，果樹畑の地表に存在する放射性物質を繭玉１２によって除去できる。このようにして，放射性物質の除去に用いられた使用済みの繭玉１２は，農作物の育成装置１の容器本体１０内に収容され，農作物の成長を促進するための用途として，再活用されることが好ましい。例えば，繭玉１２は，容器本体１０の容量に対して１０％〜５０％，又は２０％〜３０％程度収容されることが好ましい。
【００２３】
さらに付言すると，図１（ｂ）に示されるように，放射性物質を除去する際の繭玉１２には，その内部に，ゼオライト１２ａが封入されたものであることが好ましい。ゼオライ１２ａは，汚染物質の除去効果を有するものの，そのまま散布すると，水田や果樹畑をドロドロした状態に変えてしまう。そこで，ゼオライト１２ａを繭玉１２内に収容することで，繭玉１２とともにゼオライト１２ａを回収し易くなる。ゼオライトは，公知の物質である。ゼオライトの例は，Ｘ型ゼオライト，Ｙ型ゼオライト，モルデナイト，ＺＳＭ型ゼオライト等の合成ゼオライトや天然ゼオライトが使用できる。さらに，繭玉１２内には，コンポスト１２ｂ及び粘土１２ｃをさらに封入することが好ましい。コンポスト１２ｂには，田畑の育成に好ましい微生物が多数含まれるため，繭玉１２の分解が促進される。また，コンポスト１２ｂにより繭玉１２が分解されると，繭玉１２に含まれるゼオライト１２ａが放射性物質含有土１１に溶出し，溶出したゼオライト１２ａが放射性物質含有土１１に含有された放射性物質の除染を促進することも期待できる。さらに，繭玉１２内に粘土を封入することにより，ゼオライト１２ａが，農作物２を栽培するための土壌３に溶出することを防止できる。
このような繭玉１２を製造するためには，まず，天然の蚕の繭玉の一部を切り出して，さなぎを取り出す。その後，切り出した部分から，内容物（例えば，ゼオライト１２ａ，コンポスト１２ｂ，及び粘土１２ｃ）を入れる。その後，切り出した繭の一部で蓋をする。蓋をした繭を１日から１０日（例えば５日）の間，発酵液（又は発酵液と柿酢液）に漬ける。このようにすれば，上記した繭玉１２を製造できる。
【００２４】
なお，容器本体１０内には，放射性物質含有土１１や，使用済みの繭玉１２と共に，使用済みのシルクフィルタを収容することとしてもよい。使用済みシルクフィルタは，使用済み繭玉１２と同様に，例えば水田の水流入口に取り付けられて，水流に含まれる放射性物質の除去に利用されたものである。シルクフィルタは，天然絹又は人口絹をろ過用の繊維として含むフィルタである。シルクフィルタの例は，絹の塊，繭をある程度伸ばした状態のもの，又はシルクけばを，ろ過用繊維として含むものである。このような，放射性物質の除去に利用された使用済みのシルクフィルタも，農作物の育成装置１の容器本体１０内に収容され，農作物の成長を促進するための用途として再活用されることが好ましい。
【００２５】
容器本体１０の上部には，内蓋２０が取り付けられる。容器本体１０の開口は，内蓋２０によって塞がれる。図１（ａ）に示されるように，内蓋２０には，複数の微細孔（放射線放出孔２１）が穿設されている。放射線放出孔２１は，図１（ａ）に示されるように，上下垂直に形成されたものであることが好ましく，その直径は，１ｍｍ〜５ｍｍ，又は２ｍｍ〜３ｍｍ程度で形成されることが好ましい。内蓋２０は，容器本体１０に収容された放射性物質含有土１１や繭玉１２から放出される放射線を透過する素材により形成されることが好ましく，例えばプラスチック製とすればよい。
【００２６】
内蓋２０の上部には，さらに外蓋３０が取り付けられる。外蓋３０は，内蓋２０と共に，農作物２を栽培するための土壌３が放射性物質含有土１１と混合することを防ぐ。特に，外蓋３０は，内蓋２０に設けられた放射線放出孔２１を介して，上記土壌３が容器本体１０内部に落下するような事態や，農作物２の細根が容器本体１０内に侵入する事態を防止する。このため，外蓋３０には，上方に向かって所定角度傾斜して突起した複数の通気管３１が設けられていることが好ましい。通気管３１は，管状に形成されており，容器本体１０の通気性を保つことができる。また，通気管３１は，容器本体１０の上下の垂直方向に対し，例えば所定角度θだけ傾斜している。所定角度θは，例えば２０度〜７０度，３０度〜６０度，４０度〜５０度，又は４５度であることが好ましい。さらに，通気管３１は，上端の通気口３１ａが，下端に通気口３１ｂよりも幅広となる形状であることが好ましい。例えば，上端の通気口３１ａを球形又は楕円球形として，通気孔を広げれば良い。このように，通気管３１を傾斜して突起させ，かつ上端の通気口３１ａを幅広とすることにより，土壌３が容器本体１０内に落下する事態を確実に防止できる。外蓋３０も，内蓋２０と同様に，容器本体１０に収容された放射性物質含有土１１や繭玉１２から放出される放射線を透過する素材により形成することが好ましく，例えばプラスチック製とすればよい。
【００２７】
また，図１（ａ）に示されるように，内蓋２０と外蓋３０の間には，若干の空隙を設けることが好ましい。例えば，内蓋２０と外蓋３０の間の空隙は，１ｍｍ〜１０ｍｍ，又は３ｍｍ〜５ｍｍとすればよい。内蓋２０と外蓋３０の間に空隙を設けるためには，外蓋３０が内蓋２０に嵌合される位置を調節することもできるし，外蓋３０と内蓋２０の間に部分的にスペーサーを配置することもできる。
【００２８】
図２は，上記構成を有する育成装置１を，農作物２が栽培されている土壌３の地中に埋設した状態を示している。図２に示されるように，育成装置１は，土壌３の地表面から深さＤ１の位置に，外蓋３０を上方とし容器本体１０を下方として埋設される。なお，深さＤ１は，土壌３の地表面から外蓋３０の通気管３１までの距離を示している。例えば，深さＤ１は，３０ｃｍ〜１５０ｃｍであることが好ましく，特に５０ｃｍ〜１００ｃｍであることが好ましい。さらに，育成装置１は，農作物２の根に対して，所定距離Ｄ２離間した位置に埋設されるものであることが好ましい。例えば，所定距離Ｄ２は，土壌３に育成装置１を埋設しその直上に農作物２を植えるときに，育成装置１が，農作物２の根のうちの最も地中深くまで伸びている根の位置に対して，２０ｃｍ〜１００ｃｍ，又は３０ｃｍ〜５０ｃｍ離間するものであることが好ましい。このように，育成装置１を，Ｄ１かつＤ２の位置に埋設することで，効率的に，農作物２（特に農作物２の根）に対し放射線による活性化エネルギーを付与しつつ，農作物２の根が育成装置１内に侵入するような事態を防止できる。
【００２９】
図２に示す例においては，一の育成装置１を，土壌３の地中に埋設している。このような場合，一の育成措置１は，農作物２を栽培する畑の面積に応じて，横幅及び奥行を設定することができる。また，土壌３の地中には，複数の育成装置１を埋設することとしてもよい。この場合は，所定の横幅及び奥行を有する育成装置１を，農作物２を栽培する畑の面積に応じて，複数個並べて埋設すればよい。
【００３０】
続いて，本発明の実施例について説明する。ただし，本発明は，以下の実施例に限定されるものではない。
【実施例１】
【００３１】
実施例とした農作物は，果樹では，ブルーベリー，渋柿，及びスイカであり，野菜では，小松菜，さつま芋，及びトマトである。本発明の実施を行うにあたり，高放射性セシウム（特にセシウム１３７）を含有する８．９９マイクロシーベルト毎時の汚染土（徐染使用済マユ玉とシルクフィルタを含む土）を育成装置に収容した。育成装置は，基本的に，畑土壌下５０ｃｍの地点に埋蔵し，この育成装置を埋蔵していない対照区と比較した。放射性セシウムのマイクロシーベルト毎時は，育成装置埋蔵区のものと対照区のものを，それぞれ地表面から１０ｍｍの位置で計測した。また，育成装置埋蔵区において栽培された農作物一個あたりの放射能量（ベクレル）と，対照区において栽培された農作物一個あたりの放射能量（ベクレル）をそれぞれ測定した。その結果をまとめて，以下の表１に示す。
【００３２】
【表１】
0005935210.tif 000002
【００３３】
１．ブルーベリー  
ブルーベリーの品種はサンシャインブルーを用いた。放射性セシウム含有物質を収容した育成装置を３月下旬に畑に埋蔵した。花の開花は４月上旬であり，実の収穫は７月下旬であった。対照区と比較してみると，枝の繁りと葉の色，及び花の色が良かった。実の色は黒紫でつやがあり，大きさも対照区のものと比較し１．３〜１．５倍に達した。収穫時期は対照区と同じ７月下旬とした。ブルーベリーは，完熟すると果実が落下しやすくなり，完熟果は強風でも落果する。しかし，育成装置埋蔵区のブルーベリーの果実は，殆んど落果がなく，収穫時にこぼれ落ちることがなかった。収量は，対照区のものに比べると約１．８倍の目方増であった。施肥は，対照区と同様に，なたね油粕，発酵液（土着菌も含む）と柿酢（カリウムを含む）であり，特に，柿酢を５０倍に希釈し，１本当り１０リットルを散布した。カリウム分が不足すると植物はカリウムと同じ分子構造のセシウムを吸収するから，少セシウム果実を得るために，常に多くの自然由来のカリウムを多めに施用することとした。
【実施例２】
【００３４】
２．渋柿  
渋柿の品種は，アンポ柿の原料となる１個２５０〜４００ｇの蜂屋柿を用いた。この柿は浅根（地下１０ｃｍ位まで）で，しかも果実を育てる機能を持つ細根が浅い地下に集中する。放射性セシウム含有物質を収容した育成装置は，地下５０ｃｍの所に埋蔵した。施肥は，米ヌカ，油粕，発酵液，柿酢とした。育成装置は，蜂屋柿畑に４月中旬に埋蔵した。花の開花は６月中旬であり，収穫は１１月初旬とした。育成装置埋蔵区のものは，対照区のものと比較すると，重量は１．５倍で大玉（３００〜４００ｇ）のものが多く，果実色も赤橙，落果が極めて少なかった。育成装置埋蔵区においては，２０１２年２月中旬でも取り残しの果実が木になっており，このような現象は従来見られないものであった。柿の木に放射性セシウムの核分裂により微動を与えれば，柿の木はこのように活性化し，よりエネルギッシュになると考えられる。
【実施例３】
【００３５】
３．小松菜  
小松菜の品種は楽天を用いた。小松菜は播種後３カ月で収穫できる。畝の下（地下５０ｃｍ）に放射性セシウム含有物質を収容した育成装置を埋蔵した。畑にはコンポスト，発酵液，及び柿酢を施用した。育成装置埋蔵区のものは，対照区のものと比べてみると，葉の緑が濃く，茎が太く，葉が大きく肉厚で食べればやわらかいものであった。育成装置埋蔵区において茎の本数は１３本と多く，対照区のものは８本であった。収穫は２〜３ヶ月で出来た。
【実施例４】
【００３６】
４．さつま芋  
さつま芋の品種は安納３号を用いた。６月１０日に定植し，１０月１日に収穫した。畝下７０ｃｍの処に放射性セシウム含有物質を収容した育成装置を埋蔵した。施肥は，油粕，米ヌカ，コンポスト，発酵液，柿酢を４月にすませ，育成装置の埋蔵はこれと同時期に終了した。対照区と比べてみると，育成装置埋蔵区では１本当りの収量は平均１ｋｇであるのに対し，対照区では７００ｇであった。また，育成装置埋蔵区では芋の大きさも揃っていた。食味は，対照区と同じであった。
【実施例５】
【００３７】
５．トマト  
トマトの品種はサントリーのシュガーレディを用いた。トマトは浅根であるが，根張りが良く１ｍ先までも伸びる。放射性セシウム含有物質を収容した育成装置は，畝下７０ｃｍとした。育成装置埋蔵区では，ミニトマトが１房に３０〜５０粒もなり，実は２５ｇ平均であった。また，着色が真っ赤で糖度も高いものでは１２度にも達した。一方，対照区のトマト糖度は最高で８度であった。このように，育成装置埋蔵区のトマトは，対照区のものと比べ，格段に優れているものであった。完熟ミニトマトは，手を触れるとガクを残したまま落下するのが生産現場の悩みであった。これを解決するために種苗会社は，糖度が少なくても赤いミニトマトの種を売り出している。結果，トマトのガクは落ちないが，実が固く美味な食感は得られない。放射性セシウム含有物質を利活用すれば，甘くてガクの落ちないミニトマトが得られることがわかった。ただし，ミニトマトの細根からセシウムを吸収させないために，５０倍に希釈した天然由来の柿酢を１０日に１度の割合で施した。これにより，セシウムの吸収を防止し，セシウムが核分裂する際に発生する微振動だけを活用できる。
【実施例６】
【００３８】
６．スイカ  
スイカの品種は自家採取（平成元年から）の大玉黒皮スイカであり，商標名ダンディブラック（登録商標）を用いた。セシウム含有のマユ玉と汚染土壌を育成装置に収容し，この育成装置を畝下７０ｃｍの所に埋蔵した。育成装置埋蔵の時期は，施肥の時と同じく４月上旬とした。スイカは，カリウムを多く吸収し，果実を充実させる。そのため，カリウムが少しでも不足すれば，セシウムを吸収したがる。そこで，柿酢５０倍希釈品をスイカ１本につき２０リットル施用し，苗移植１ヶ月前に土づくりをした。スイカの収穫は，７〜９月とした。対照区と比較すると，育成装置埋蔵区のスイカは糖度が１４度にも達するというものがあった。なお，スイカは人工的に摘果して玉数（１〜２玉）を決めるので多収ということはない。
【００３９】
７．まとめ  
上記実施例や表１に示される通り，育成装置埋蔵区のシーベルト毎時は，対照区のシーベルト毎時に比べて約２倍前後高いが，果実などの収穫物のベクレルを比較するとほとんど変化がない。これは，放射性セシウムが農作物の根からも，幹，枝，葉からも吸収されていないことを意味する。放射性セシウムを多く含んだ使用済マユ玉とシルクフィルタと汚染土壌を利用する技術は，農業分野ではなかった。放射性セシウムを含む土を収容した育成装置を地下に埋蔵し，核分裂を起こす際に発する微動だけを利活用する。植物は，微動を根で感知し，己の生命体を更に活性化させるものと推測される。放射性セシウム汚染物質は，地下に厳重な装置によって管理され，植物の細根が忍び込まない深さに設置することが好ましい。これにより，放射性セシウムが農作物に吸収されることを防止しつつ，放射性セシウムから放出される放射線を活かして農作物の成育を促すことができる。
【産業上の利用可能性】
【００４０】
本発明は，農作物の育成方法及び農作物の育成装置に関する。このため，本発明は，農業産業において好適に利用し得る。
【符号の説明】
【００４１】
１      育成装置
２      農作物
３      土壌
１０    容器本体
１１    放射性物質含有土
１２    繭玉
１２ａ  ゼオライト
１２ｂ  コンポスト
１２ｃ  粘土
２０    内蓋
２１    放射線放出孔
３０    外蓋
３１    通気管
【図１】
0005935210.tif 000003
【図２】
0005935210.tif 000004